(57)【要約】【課題】  止水が確実なものとなる配管立上構造を提供する。【解決手段】  防水パン２に形成された開口２ａを通し、防水パン２上に立ち上げられる立上配管３において、この立上配管３を通すことのできる截頭円錐部６ａを有する軟質カバー６を、防水パン２の下側から開口２ａ内に差し込み、軟質カバー６の截頭円錐部６ａの外周を開口２ａの内周に当接させて止水する。【選択図】  図２
2007002532.tif 000002
【特許請求の範囲】
【請求項１】
防水パンに形成された開口を通し該防水パン上に立ち上げられる立上配管において、該立上配管を通すことのできる截頭円錐形の軟質カバーを、前記防水パンの下側から前記開口に差し込み、該軟質カバーの外周を前記開口の内周に当接させたことを特徴とする配管立上構造。
【請求項２】
前記軟質カバー内に前記防水パンの下側から截頭円錐形の台座を差し込み、該台座の外周と前記開口の内周間に前記軟質カバーを挟み込んだことを特徴とする請求項１に記載の配管立上構造。
【請求項３】
前記防水パンの裏面にボス部を設け、該ボス部に前記軟質カバーおよび／または前記台座をネジ固定したことを特徴とする請求項１または請求項２に記載の配管立上構造。
【請求項４】
前記防水パンの裏面に、前記開口の外周を囲むリブを設け、該リブと前記台座で前記軟質カバーを挟み込んだことを特徴とする請求項２または請求項３に記載の配管立上構造。
【発明の詳細な説明】
【技術分野】
【０００１】
本発明は、防水パンに形成された開口を通し防水パン上に立ち上げられる立上配管に関するものである。
【背景技術】
【０００２】
従来、ユニットバスの防水パンに形成した配管穴部を通し、防水パン上に立ち上げられる立上配管は、例えば特許文献１に開示されているように、防水パンの上面側から、配管穴部を覆う断面略円錐形状の止水部材を補強座金とビスで固定して、止水部材により止水するように構成されている。
【特許文献１】特開２００１−３３６１８５号公報
【発明の開示】
【発明が解決しようとする課題】
【０００３】
従来の配管立上構造では、防水パンの上面側から止水部材をビスで固定するものであり、止水部材が均一に防水パンに密着されないと、完全な止水を行うことが難しくなり、またビスが防水パンを貫通するため、このビスの部分での漏水の心配が生ずるという問題点があった。
【課題を解決するための手段】
【０００４】
本発明は上記従来の問題点に鑑み案出したものであって、確実に止水することができ、漏水の心配のない配管立上構造を提供するものであり、その請求項１は、防水パンに形成された開口を通し該防水パン上に立ち上げられる立上配管において、該立上配管を通すことのできる截頭円錐形の軟質カバーを、前記防水パンの下側から前記開口に差し込み、該軟質カバーの外周を前記開口の内周に当接させたことである。
【０００５】
また請求項２は、前記軟質カバー内に前記防水パンの下側から截頭円錐形の台座を差し込み、該台座の外周と前記開口の内周間に前記軟質カバーを挟み込んだことである。
【０００６】
また請求項３は、前記防水パンの裏面にボス部を設け、該ボス部に前記軟質カバーおよび／または前記台座をネジ固定したことである。
【０００７】
また請求項４は、前記防水パンの裏面に、前記開口の外周を囲むリブを設け、該リブと前記台座で前記軟質カバーを挟み込んだことである。
【発明の効果】
【０００８】
本発明は、防水パンに形成された開口を通し防水パン上に立ち上げられる立上配管において、立上配管を通すことのできる截頭円錐形の軟質カバーを、防水パンの下側から開口に差し込み、軟質カバーの外周を開口の内周に当接させたことにより、軟質カバーの外周が均一に防水パンに形成した開口の内周に当接するため、止水が確実なものとなり、防水パンの上方で作業等を行う際にも、軟質カバーは動くことがないため、確実な止水性を確保することができるものとなる。
【０００９】
また、軟質カバー内に防水パンの下側から截頭円錐形の台座を差し込み、台座の外周と開口の内周間に軟質カバーを挟み込んだことにより、台座の外周と防水パンの開口の内周間に強く軟質カバーを押し付けて挟み込むことで、止水が確実なものとなる。
【００１０】
また、防水パンの裏面にボス部を設け、ボス部に軟質カバーおよび／または台座をネジ固定したことにより、防水パンの裏面からネジをボス部に締め付けて、軟質カバーおよび／または台座を固定できるため、防水パンにはネジが貫通することがなく、漏水の虞がなくなる。
【００１１】
また、防水パンの裏面に、開口の外周を囲むリブを設け、リブと台座で軟質カバーを挟み込んだことにより、軟質カバーが開口の内周面に当接する止水箇所とは別に、リブの下端と台座間に軟質カバーが挟み込まれて、この部分で更に止水が行われ、２箇所で止水が行われるため、より確実な止水性能が確保できるものとなる。
【実施例】
【００１２】
以下、本発明の実施例を図面に基づいて説明する。
図１は、浴室の斜視構成図であり、浴室１内には、防水パン２上に浴槽Ｂが設置され、壁面には水栓金具５が設けられており、この水栓金具５に給水および給湯用の配管を接続するために、下方側から防水パン２を貫通して給水用立上配管３と給湯用立上配管４が浴室１内に立ち上げられている。
【００１３】
この給水用立上配管３および給湯用立上配管４を立ち上げるための、防水パン２に形成された貫通状の丸孔開口２ａを止水するために、図２の分解斜視図で示すような止水構造が採用されている。
なお、給水用立上配管３と給湯用立上配管４の止水構造は同じであるため、給水用立上配管３における止水構造を説明する。
【００１４】
図２に示すように、上端に接続部３ａが設けられた給水用立上配管３を下方側から上方へ立ち上げ状に通すために、防水パン２には丸孔開口２ａが形成されており、この丸孔開口２ａの周囲の防水パン２の裏側には、垂下状に例えば４本のボス部２ｂ，２ｂ，２ｂ，２ｂが一体形成されており、各ボス部２ｂ，２ｂ，２ｂ，２ｂには、下方よりネジ８を締め付けることができるものである。
丸孔開口２ａには、防水パン２の下面側より軟質カバー６が差し込まれるものであり、この軟質カバー６は、例えばゴム等の軟らかい素材で形成されており、截頭円錐形状の截頭円錐部６ａの下端に外側へ延びるフランジ状の下端鍔部６ｂが一体形成されており、下端鍔部６ｂには、間隔をおいてネジ８を通すための孔６ｄ，６ｄ，６ｄが上下に貫通形成されている。
なお、截頭円錐部６ａの上端は、給水用立上配管３を通すことのできる径の上端孔６ｃとなっている。
【００１５】
また、この軟質カバー６の下方より軟質カバー６内に差し込まれる台座７が用意されており、台座７は、軟質カバー６の截頭円錐部６ａの内周に当接する截頭円錐形状の截頭円錐部７ａの下端に、外側へ広がってフランジ状の下端鍔部７ｂが一体形成されており、下端鍔部７ｂにはネジ８を通すための孔７ｄ，７ｄ，７ｄが間隔をおいて上下に貫通形成されている。
【００１６】
図３の取付状態の縦断面構成図で示すように、防水パン２の丸孔開口２ａに対し、下面側から軟質カバー６の截頭円錐部６ａを差し込み、更に軟質カバー６の截頭円錐部６ａの内周に下方側から台座７の截頭円錐部７ａを差し込むと、この状態で、防水パン２のボス部２ｂの下端に、軟質カバー６の下端鍔部６ｂと、その下方に台座７の下端鍔部７ｂが重なった状態で当接され、この状態で下方側よりネジ８を孔７ｄ，６ｄに通し、ボス部２ｂに締め付けることで、台座７がボス部２ｂ，２ｂに固定され、この状態では、台座７の截頭円錐部７ａの外周が軟質カバー６の截頭円錐部６ａを防水パン２の丸孔開口２ａの内周に押し付けて、軟質カバー６の截頭円錐部６ａは丸孔開口２ａの内周と台座７の截頭円錐部７ａの外周間で強固に挟み付けられた状態となり、軟質カバー６の截頭円錐部６ａの外周は丸孔開口６ａの内周に均一な押圧力を持って当接されて、確実にこの部分Ｐ１が止水されることとなる。
更に、このＰ１の部分に防水パン２の上面側よりコーキングＣを施しておけば、より止水が確実なものとなる。
【００１７】
なお、この状態では、防水パン２上で作業を行う際に、軟質カバー６に力が加わっても、防水パン２の裏側のビス８による固定部分には力が加わらないために、防水パン２上方での作業によっても軟質カバー６は動かないものとなり、良好な止水性が維持されるものとなる。
なお、台座７を用いなくても、軟質カバー６のみをネジ８でボス部２ｂに固定させて用いる場合においても、軟質カバー６の截頭円錐部６ａの外周が均一に丸孔開口２ａの内周に当接して、良好な止水性が確保されるものとなる。
【００１８】
なお、図４に示すものは、台座７の截頭円錐部７ａの外周に、上下に間隔を置いて２段の突起７ｅ，７ｅを外側へ突出形成させたものであり、このような突起７ｅ，７ｅが外周に形成された台座７を用いる場合には、図５の縦断面拡大構成図で示すように、上下の突起７ｅ，７ｅ間に防水パン２の丸孔開口２ａの内周が嵌まり込み、台座７と丸孔開口２ａ間により強固に軟質カバー６が挟み込まれた状態となり、台座７および軟質カバー６の上下方向の位置ズレ等を確実に防いで、止水性能を確保できるものとなる。
【００１９】
更に図６の縦断面構成図で示すものは、図７に防水パン２の裏面を拡大して示すように、防水パン２の丸孔開口２ａの外周を囲むように防水パン２の裏側に垂下状にリブ２ｃを一体形成させたものであり、このリブ２ｃは４個のボス部２ｂ，２ｂ，２ｂ，２ｂ間にリング状に連続して形成されたものである。
【００２０】
このような構成では、ネジ８をボス部２ｂに締め付けて、防水パン２の裏側に軟質カバー６と台座７を固定した状態で、リブ２ｃの下端に軟質カバー６の下端鍔部６ｂが台座７の下端鍔部６ｂに押し付けられて挟み付けられた状態となり、リブ２ｃの下端に軟質カバー６の下端鍔部６ｂが全周に亘って当接し、この部分Ｐ２でも止水が行われるため、前述したＰ１の止水ラインと、このＰ２の止水ラインの２箇所で止水がなされて、より確実な止水性が確保されるものとなる。
【００２１】
なお、本例では、ネジ８は防水パン２の下方側からボス部２ｂに締め付けられるものであるため、ネジ８が防水パン２上に貫通することはなく、従来のように防水パン２の上面側からネジを締め付ける場合には、ネジ用の凹孔を防水パン２に形成させておく必要があったが、そのような凹孔は必要でなく、凹孔に水が溜まることもなくなり、また、従来のように防水パン２上にネジが露出することもなく、フラットなすっきりとした形状の防水パン２となる。
【図面の簡単な説明】
【００２２】
【図１】浴室内の防水パン上に給水用立上配管と給湯用立上配管を立ち上げた状態の浴室の斜視構成図である。
【図２】立上配管の止水用の構成部材の分解斜視図である。
【図３】図２の構成部材を取り付けた状態の縦断面構成図である。
【図４】図２の台座の変更例を示す斜視構成図である。
【図５】図４の台座を用いた組み付け状態の縦断面構成図である。
【図６】防水パンに形成したリブの下端でも止水が行われる変更例の組み付け状態の縦断面構成図である。
【図７】図６のリブを防水パンの裏側から見た裏面要部拡大図である。
【符号の説明】
【００２３】
１  浴室
２  防水パン
２ａ  丸孔開口
２ｂ  ボス部
２ｃ  リブ
３  給水用立上配管
３ａ  接続部
４  給湯用立上配管
６  軟質カバー
６ａ  截頭円錐部
６ｂ  下端鍔部
６ｃ  上端孔
６ｄ  孔
７  台座
７ａ  截頭円錐部
７ｂ  下端鍔部
７ｃ  上端孔
７ｄ  孔
７ｅ  突起
８  ネジ
Ｃ  コーキング
Ｐ１，Ｐ２  止水ライン
【図１】
2007002532.tif 000003
【図２】
2007002532.tif 000004
【図３】
2007002532.tif 000005
【図４】
2007002532.tif 000006
【図５】
2007002532.tif 000007
【図６】
2007002532.tif 000008
【図７】
2007002532.tif 000009